(57)【特許請求の範囲】
【請求項１】
車体に組み込まれた駆動輪を有する自転車またはモータサイクルと組み合わされ、前記車体に搭載され、水を浄化し、飲料水を造水する浄水筒と、
前記車体に搭載され、前記浄水筒に接続された送りポンプと、
水源と前記送りポンプを接続する接続手段と、
前記駆動輪の中心に配置され、前記駆動輪と一体的に回転する回転軸と前記送りポンプを連結し、これによって前記送りポンプを駆動し、前記水源の水を前記浄水筒に送る連結手段とからなる造水装置。
【請求項２】
前記送りポンプは回転ポンプからなり、駆動軸を有し、前記連結手段は前記回転軸と前記駆動軸を連結することを特徴とする請求項１に記載の造水装置。
【請求項３】
前記連結手段はチェーンおよびギヤからなることを特徴とする請求項２に記載の造水装置。
【請求項４】
前記連結手段は前記回転軸と前記送りポンプを分断可能であることを特徴とする請求項３に記載の造水装置。
【請求項５】
切り換えコックが前記送りポンプと前記浄水筒間に設けられ、前記水源の水を前記浄水筒に送らず、そのまま放水することができるようにしたことを特徴とする請求項１〜４のいずれかに記載の造水装置。
【発明の詳細な説明】
【技術分野】
【０００１】
この発明は、たとえば、災害地、へき地または難民非難地において、河川、池などの水源の水を浄化し、飲料水を造水する造水装置に関するものである。
【背景技術】
【０００２】
災害地、へき地または難民非難地において、最も深刻化するものに飲料水不足がある。これまでに、河川、池などの水源の水を浄化し、飲料水を造水する造水装置は一般に知られているが、問題はその装置を運搬する起動力である。災害地、へき地または難民非難地では、交通事情がいちじるしく悪いことが多く、自動車で大型の造水装置を運搬することはままならない。
【０００３】
一方、自動車と異なり、自転車は起動力に富み、目的地に達することは容易である。そして、自転車については、これまでに自転車と造水装置を組み合わせることも提案されている。特開平９−２８５７８３号公報に記載されているものがそれである。同公報の装置は浄水筒に接続された回転ポンプを有する。さらに、プーリが回転ポンプの駆動軸に設けられ、自転車の駆動輪に押し付けられる。したがって、自転車の駆動輪によってプーリを回転させ、回転ポンプを駆動し、水源の水を浄水筒に送ることができ、浄水筒によって水を浄化し、飲料水を造水することができる。
【０００４】
しかしながら、同公報の装置の場合、自転車で目的地まで走行することはできても、それだけで飲料水を造水することができるわけではない。何らかの方法で造水装置を目的地まで運搬せねばならないという問題は残る。さらに、回転ポンプを駆動するには、プーリを自転車の駆動輪に押し付ける必要があり、面倒である。しかも、現地でそれを達成せねばならず、プーリを簡単に確実に押し付けることができるとは限らない。プーリと駆動輪間にスリップが生じ、回転ポンプが的確に駆動されないことも多いと考えられる。
【０００５】
したがって、この発明は、災害地、へき地または難民非難地において、容易に水を浄化し、飲料水を造水することができるようにすることを目的としてなされたものである。
【特許文献１】
特開平９−２８５７８３
【発明の開示】
【０００６】
この発明によれば、浄水筒が自転車またはモータサイクルと組み合わされ、自転車またはモータサイクルは車体に組み込まれた駆動輪を有し、浄水筒は車体に搭載される。さらに、送りポンプが浄水筒に接続され、接続手段によって水源と送りポンプが接続される。さらに、回転軸が駆動輪の中心に配置され、駆動輪と一体的に回転し、連結手段によって回転軸と送りポンプが連結され、これによって送りポンプが駆動され、水源の水が浄水筒に送られ、浄水筒によって水が浄化され、飲料水が造水される。
【０００７】
好ましい実施例では、送りポンプは回転ポンプからなり、駆動軸を有し、連結手段は回転軸と駆動軸を連結する。
【０００８】
連結手段はチェーンおよびギヤからなる。
【０００９】
連結手段は回転軸と送りポンプを分断可能である。
【００１０】
さらに、切り換えコックが送りポンプと浄水筒間に設けられ、水源の水を浄水筒に送らず、そのまま放水することができる。
【発明を実施するための最良の形態】
【００１１】
図１において、これは水を浄化し、飲料水を造水する造水装置であり、４つの浄水筒１ａ〜１ｄを有し、自転車と組み合わされている。自転車は前輪２、駆動輪３およびサドル４を有し、前輪２、駆動輪３およびサドル４は車体５に組み込まれており、浄水筒１ａ〜１ｄは車体５に搭載されている。この実施例では、サドル４の後方において、車体５にフレーム６が設けられ、固定され、浄水筒１ａ〜１ｄはフレーム６に取り付けられている。フレーム６は矩形状のもので、浄水筒１ａ〜１ｄはフレーム６の上面からつり下げられ、支持されている。
【００１２】
浄水筒１ａ〜１ｄのうち、浄水筒１ａは水を前処理するためのものであり、浄水筒１ｂは水を殺菌するためのものである。たとえば、あらい不織布などの濾材が浄水筒１ａに充填され、殺菌剤が浄水筒１ｂに充填されており、水を浄水筒１ａに通し、濾材によって水を前処理することができ、その後、水を浄水筒１ｂに通し、殺菌剤によって水を殺菌することができる。一方、浄水筒１ｃは塩素を吸着するためのものである。浄水筒１ｄは水を最終濾過するためのものである。たとえば、活性炭または他の化学物質が浄水筒１ｃに充填され、中空糸などの濾材が浄水筒１ｄに充填されており、殺菌後、水を浄水筒１ｃに通し、活性炭または他の化学物質に塩素を吸着することができる。その後、水を浄水筒１ｄに通し、濾材によって水を最終濾過することができ、これによって水を浄化し、飲料水を造水することができる。
【００１３】
さらに、送りポンプ７が車体５に搭載され、浄水筒１ａに接続されている。この実施例では、三方切り換えコック８が送りポンプ７と浄水筒１ａ間に設けられており、送りポンプ７はフレーム６に取り付けられ、支持され、三方切り換えコック８、パイプ９および浄水筒１ａに接続されている。さらに、接続手段としてホース１０が使用され、これが送りポンプ７に接続されており、ホース１０によって水源と送りポンプ７を接続することができる。送りポンプ７はギヤポンプなどの回転ポンプからなり、駆動軸１１を有する。さらに、ホース１２が三方切り換えコック８に接続されている。浄水筒１ａ〜１ｄについては、浄水筒１ａが浄水筒１ｂに接続され、浄水筒１ｂが浄水筒１ｃに接続され、浄水筒１ｃが浄水筒１ｄに接続されており、浄水筒１ｄはパイプ１３、三方切り換えコック１４およびホース１５に接続されている。
【００１４】
さらに、この装置は回転軸１６と送りポンプ７を連結する連結手段を有する。これに関連し、自転車の駆動輪３に回転軸１６が設けられ、回転軸１６は駆動輪３の中心に配置されており、駆動輪３は回転軸１６と一体的に回転する。連結手段はチェーン１７およびギヤ１８，１９，２０からなり、チェーン１７およびスプロケットによって回転軸１６とギヤ１８が連結され、図３に示すように、ギヤ１８は支軸２１に取り付けられ、回転可能に支持され、支軸２１はフレーム６に取り付けられ、固定されている。一方、ギヤ１９は送りポンプ７の駆動軸１１に取り付けられ、固定されている。さらに、レバー２２が支軸２１に取り付けられ、揺動可能に支持されており、ギヤ２０は支軸２３に取り付けられ、回転可能に支持され、ギヤ１８にかみ合わされ、支軸２３はハンドル２４を有し、レバー２２に取り付けられ、固定されている。したがって、ハンドル２４によってレバー２２およびギヤ２０を操作し、レバー２２を支軸２１のまわりに揺動させ、ギヤ２０をギヤ１８のまわりに旋回させることができ、ギヤ２０をギヤ１９にかみ合わせ、チェーン１７およびギヤ１８，１９，２０によって回転軸１６と駆動軸１１を連結することができ、駆動輪３と送りポンプ７を連結することができる。
【００１５】
なお、レバー２２を支軸２１のまわりに揺動させ、支軸２１の上方に直立させると、ギヤ２０をギヤ１９から離脱させることができる。したがって、連結手段は回転軸１６と送りポンプ７を分断可能である。さらに、この実施例では、送りポンプ２５がフレーム６に取り付けられ、支持され、三方切り換えコック１４に接続されており、ホース２６が送りポンプ２５に接続されている。送りポンプ２５もギヤポンプなどの回転ポンプからなり、駆動軸２７を有する。さらに、ギヤ２８が送りポンプ２５の駆動軸２７に取り付けられ、固定されており、レバー２２を支軸２１のまわりに揺動させ、ギヤ２０を逆方向に旋回させ、ギヤ２８にかみ合わせ、チェーン１７およびギヤ１８，２０，２８によって回転軸１６と駆動軸２７を連結し、駆動輪３と送りポンプ２５を連結することもできる。さらに、三方切り換えコック２９がパイプ９に設けられ、ホース３０が三方切り換えコック２９に接続されている。
【００１６】
さらに、レバー２２にボス３１が形成され、これにねじ孔が形成され、フレーム６にブラケット３２が取り付けられ、固定されており、ブラケット３２にボス３３が形成され、これに貫通孔が形成されている。したがって、ロックねじ３４をボス３３の貫通孔に通し、ボス３１のねじ孔にねじ合わせ、ロックねじ３４によってレバー２２をロックすることができる。その後、ロックねじ３４をボス３１のねじ孔から抜き取り、レバー２２を支軸２１のまわりに揺動させ、ギヤ２０をギヤ１８のまわりに旋回させることができる。
ブラケット３２のボス３３については、ギヤ１８のまわりにおいて、３つのボス３３が角度間隔を置いて形成されており、ギヤ２０をギヤ１９にかみ合わせ、その位置において、ロックねじ３４をボス３３の貫通孔に通すことができ、ロックねじ３４によってレバー２２をロックすることができる。ギヤ２０をギヤ２８にかみ合わせ、その位置において、ロックねじ３４をボス３３の貫通孔に通し、ロックねじ３４によってレバー２２をロックすることもできる。ギヤ２０をギヤ１９，２８から離脱させ、レバー２２を支軸２１の上方に直立させ、その位置において、ロックねじ３４をボス３３の貫通孔に通し、ロックねじ３４によってレバー２２をロックすることもできる。
【００１７】
したがって、この装置において、レバー２２を支軸２１の上方に直立させ、その位置でレバー２２をロックすると、ギヤ２０はギヤ１９，２８にかみ合わない。これによって駆動輪３と送りポンプ７が分断され、駆動輪３と送りポンプ２５も分断される。したがって、駆動輪３によってチェーン１７が駆動され、ギヤ１８，２０が空転するだけであり、ほとんど抵抗はない。この結果、災害地、へき地または難民非難地において、交通事情がいちじるしく悪くても、自転車を円滑に運転し、自転車で目的地まで走行することができ、問題はない。自動車と異なり、自転車は起動力に富み、目的地に達することは容易であり、好ましい。
【００１８】
さらに、図５に示すように、災害地、へき地または難民非難地において、目的地に達し、自転車のスタンドを立てた後、レバー２２を支軸２１のまわりに揺動させ、ギヤ２０をギヤ１９にかみ合わせ、その位置でレバー２２をロックする。さらに、河川、池などの水源にホース１０を導き、ホース１０によって水源と送りポンプ７を接続する。その後、ペダルで駆動輪３を回転させると、駆動輪３によってチェーン１７が駆動され、ギヤ１８，１９，２０が回転し、送りポンプ７が駆動される。駆動輪３がフライホイールとして作用し、送りポンプ７を円滑に駆動することもできる。したがって、水源の水がホース１０、送りポンプ７、三方切り換えコック８およびパイプ９を通り、浄水筒１ａ〜１ｄに送られ、浄水筒１ａ〜１ｄによって水が浄化され、飲料水が造水され、これがパイプ１３および三方切り換えコック１４を通り、ホース１５から排出され、取り出される。
【００１９】
図６に示すように、ギヤ２０をギヤ２８にかみ合わせ、その位置でレバー２２をロックする。さらに、三方切り換えコック１４，２９の切り換え後、ホース２６を浄水タンクに導き、ペダルで駆動輪３を回転させると、駆動輪３によってチェーン１７が駆動され、ギヤ１８，２０，２８が回転し、送りポンプ２５が駆動され、浄水タンクの水がホース２６、送りポンプ２５、三方切り換えコック１４およびパイプ１３を通り、浄水筒１ａ〜１ｂに送られ、三方切り換えコック２９を通り、ホース３０から排出される。したがって、浄水タンクの水を浄水筒１ａ〜１ｄに逆流させ、これによって浄水筒１ａ〜１ｄを逆洗することもできる。
【００２０】
さらに、図７に示すように、ギヤ２０をギヤ１９にかみ合わせ、その位置でレバー２２をロックし、三方切り換えコック８の切り換え後、ペダルで駆動輪３を回転させると、水源の水がホース１０、送りポンプ７および三方切り換えコック８を通り、ホース１２から排出される。したがって、水源の水を浄水筒１ａ〜１ｄに送らず、そのまま放水することができ、これを消火活動に使用することもできる。
【００２１】
したがって、この装置の場合、災害地、へき地または難民非難地において、自転車で目的地まで走行するだけで、自転車の浄水筒１ａ〜１ｄによって水を浄化し、飲料水を造水することができる。特開平９−２８５７８３号公報の装置のように、造水装置を特別に運搬する必要はなく、現地において、プーリを自転車の駆動輪に押し付ける必要もない。さらに、チェーン１７およびギヤ１８，１９，２０などの連結手段によって駆動輪３と送りポンプ７を連結することができ、駆動輪３と送りポンプ７間にスリップは生じない。したがって、ペダルで駆動輪３を回転させると、的確に送りポンプ７を駆動することができ、その効率は高い。この結果、容易に水を浄化し、飲料水を造水することができるものである。
【００２２】
図８および図９の実施例では、サドル４の後方において、平板状のフレーム３５が車体５に設けられ、固定されており、浄水筒１ａ〜１ｄは駆動輪３の両側に配置され、フレーム３５に取り付けられ、つり下げられ、支持されている。送りポンプ７がフレーム３５に取り付けられ、支持され、ホース１０が送りポンプ７に接続されており、送りポンプ７は三方切り換えコック８、パイプ３６および浄水筒１ａに接続されていることは図１の実施例と同様である。さらに、浄水筒１ａが浄水筒１ｂに接続され、浄水筒１ｂがパイプ３７および浄水筒１ｃに接続され、浄水筒１ｃが浄水筒１ｄに接続され、浄水筒１ｄは三方切り換えコック１４およびホース１５に接続されている。送りポンプ２５がフレーム３５に取り付けられ、支持され、三方切り換えコック１４に接続され、ホース２６が送りポンプ２５に接続されていることも図１の実施例と同様である。三方切り換えコック２９がパイプ３６に設けられ、ホース３０が三方切り換えコック２９に接続されていることも図１の実施例と同様である。
【００２３】
さらに、図１の実施例と同様、ギヤ２０をギヤ１８のまわりに旋回させ、ギヤ２０をギヤ１９とかみ合わせ、チェーン１７およびギヤ１８，１９，２０によって回転軸１６と駆動軸１１を連結することができ、駆動輪３と送りポンプ７を連結することができる。したがって、ペダルで駆動輪３を回転させると、駆動輪３によってチェーン１７が駆動され、ギヤ１８，１９，２０が回転し、送りポンプ７が駆動され、水源の水をホース１０、送りポンプ７および三方切り換えコック８に通し、浄水筒１ａ〜１ｄに送ることができ、浄水筒１ａ〜１ｄによって水を浄化し、飲料水を造水し、これを三方切り換えコック１４に通し、ホース１５がら排出し、取り出すことができる。
【００２４】
反対に、ギヤ２０をギヤ２８にかみ合わせ、チェーン１７およびギヤ１８，１９，２０によって回転軸１６と駆動軸２７を連結し、駆動輪３と送りポンプ２５を連結することもできる。したがって、ペダルで駆動輪３を回転させると、駆動輪３によってチェーン１７が駆動され、ギヤ１８，２０，２８が回転し、送りポンプ２５が駆動され、浄水タンクの水をホース２６、送りポンプ２５および三方切り換えコック１４に通し、浄水筒１ａ〜１ｄに送り、三方切り換えコック２９に通し、ホース３０から排出することができる。したがって、浄水タンクの水を浄水筒１ａ〜１ｄに逆流させ、これによって浄水筒１ａ〜１ｄを逆洗することもできる。
【００２５】
ギヤ２０をギヤ１９にかみ合わせ、三方切り換えコック８の切り換え後、ペダルで駆動輪３を回転させると、水源の水をホース１０、送りポンプ７および三方切り換えコック８に通し、ホース１２から排出し、浄水筒１ａ〜１ｄに送らず、そのまま放水することもできる。
【００２６】
ギヤ２０をギヤ１９，２８から離脱させ、これによって駆動輪３と送りポンプ７を分断し、駆動輪３と送りポンプ２５を分断することもできる。したがって、自転車を円滑に運転し、自転車で目的地まで走行することもできる。
【００２７】
図１１の実施例では、車体３８に組み込まれた駆動輪３９を有するモータサイクルにおいて、造水装置がそれと組み合わされ、浄水筒１ａ〜１ｄが車体３８に搭載されている。さらに、送りポンプ７が車体３８に搭載され、浄水筒１ａ〜１ｄに接続されている。さらに、このモータサイクルについては、図１の自転車と同様、特別にスタンドが設けられており、スタンドを立てた後、ホース１０によって水源と送りポンプ７を接続することができる。さらに、チェーン１７およびギヤ１８，１９，２０によって駆動輪３９と送りポンプ７を連結することができ、駆動輪３９によって送りポンプ７を駆動し、水源の水を浄水筒１ａ〜１ｄに送ることができる。したがって、浄水筒１ａ〜１ｄによって水を浄化し、飲料水を造水することができる。
【００２８】
さらに、前記実施例と同様、送りポンプ２５が車体３８に搭載されており、チェーン１７およびギヤ１８，２０，２８によって駆動輪３９と送りポンプ２５を連結し、駆動輪３９によって送りポンプ２５を駆動し、浄水筒１ａ〜１ｄを逆洗することもできる。水源の水をホース１２から排出し、浄水筒１ａ〜１ｄに通さず、そのまま放出することもできる。ギヤ２０をギヤ１９，２８から離脱させ、これによって駆動輪３９と送りポンプ７を分断し、駆動輪３９と送りポンプ２５を分断することもできる。
【図面の簡単な説明】
【００２９】
【図１】この発明の実施例を示す側面図である。
【図２】図１の自転車の背面図である。
【図３】図１の連結手段の断面図である。
【図４】図３の連結手段の側面図である。
【図５】図１の自転車の使用状態を示す側面図である。
【図６】他の使用状態を示す側面図である。
【図７】他の使用状態を示す側面図である。
【図８】他の実施例を示す側面図である。
【図９】図８の自転車の背面図である。
【図１０】図８の浄水筒の平面図である。
【図１１】他の実施例を示す側面図である。
【図１】
0003585442.tif 000002
【図２】
0003585442.tif 000003
【図３】
0003585442.tif 000004
【図４】
0003585442.tif 000005
【図５】
0003585442.tif 000006
【図６】
0003585442.tif 000007
【図７】
0003585442.tif 000008
【図８】
0003585442.tif 000009
【図９】
0003585442.tif 000010
【図１０】
0003585442.tif 000011
【図１１】
0003585442.tif 000012